(57)【要約】【課題】安全で環境負荷が小さく、かつ、低温流動性が良好であるウインドーウォッシャ液を提供する。【解決手段】（１）下記一般式、2004189854.tif 000013で表される少なくとも１種のグリコールと、（２）下記一般式、2004189854.tif 000014で表される少なくとも１種の化合物と、（３）水溶性であり且つ２５℃における粘度が２ｍＰａ・ｓ以下である少なくとも１種の化合物（上記（１）または（２）に該当するものを除く）と、の上記（１）〜（３）成分のうち少なくとも１成分を含み（但し（１）〜（３）の成分の合計重量に対する、（１）〜（３）の各成分の割合として、（１）成分が６０重量％以上であり且つ（３）成分が１０重量％以下であることはない）、更に（４）水、および（５）界面活性剤を含有する。【選択図】      なし【特許請求の範囲】
【請求項１】
（１）下記一般式、
2004189854.tif 000011
（式中、Ｒ１は１，２−プロピレン基または１，３−プロピレン基を表し、ｎは１〜３の整数を表す）で表される少なくとも１種のグリコールと、
（２）下記一般式、
2004189854.tif 000012
（式中、Ｒ２は１，２−プロピレン基または１，３−プロピレン基を表し、Ｒ３は炭素原子数１〜２のアルキル基を表し、ｍは０〜３の数を表す。但し、ｍ＝０のときＲ３はエチル基である）で表される少なくとも１種の化合物と、
（３）水溶性であり且つ２５℃における粘度が２ｍＰａ・ｓ以下である少なくとも１種の化合物（上記（１）または（２）に該当するものを除く）と、
の上記（１）〜（３）成分のうち少なくとも１成分を含み（但し（１）〜（３）の成分の合計重量に対する、（１）〜（３）の各成分の割合として、（１）成分が６０重量％以上であり且つ（３）成分が１０重量％以下であることはない）、更に（４）水、および（５）界面活性剤を含有することを特徴とするウインドーウォッシャ液。
【請求項２】
上記（１）〜（３）の各成分の割合が、（１）〜（３）の成分の合計重量に対する、（１）〜（３）の各成分の割合として、（１）成分が５５重量％以上であり且つ（３）成分が１５重量％以下であることはない、請求項１記載のウインドーウォッシャ液。
【請求項３】
上記（１）〜（３）の各成分の割合が、（１）〜（３）の成分の合計重量に対する、（１）〜（３）の各成分の割合として、（１）成分が５５重量％以上であり且つ（３）成分が１５重量％以下であることはなく、また（１）成分が５重量％以下であることもない、請求項２記載のウインドーウォッシャ液。
【請求項４】
請求項１〜３のうちいずれか一項記載のウインドーウォッシャ液用の原液であって、上記（４）水を実質的に含まないことを特徴とするウインドーウォッシャ液用原液。
【発明の詳細な説明】
【０００１】
【発明の属する技術分野】
本発明はウインドーウォッシャ液に関し、例えば、自動車等の運転者の視界を良好ならしめるためにフロントウインドーやリアウインドー等に噴射されるウインドーウォッシャ液に関する。
【０００２】
【従来の技術】
自動車に代表される輸送機若しくは移動機において、運転者は通常、ガラスその他の透明部材、即ちウインドーを介して周囲の状況を把握しながら運転を行っている。従って、かかる透明部材の汚れ等による透視性の低下は運転者の運転に支障を来たす恐れがあるので、ウインドーは常に清浄な状態に保たれ、良好な視界が確保されていることが望ましい。
【０００３】
特に、運転中の汚れ付着に対しては運転を継続しながらウインドー汚れを洗浄することが必要となるため、ウインドーの外側に洗浄液、即ちウインドーウォッシャ液を噴射してワイパー等でワイピングすることによりウインドーの透視性を向上させることが行われている。例えば、自動車においては、フロントウインドーまたはリアウインドーにウインドーウォッシャ液を噴射してワイパーを作動させることによりウインドーの洗浄を行っている。
【０００４】
このようなウインドーウォッシャ液は環境中に放出されることから、通常は水を主成分とし、これに界面活性剤を含有するものが用いられており、さらに、冬期においても使用できるよう、少なくとも−２０℃程度の低温では凍結しないように、エチレングリコールやプロピレングリコールなどのグリコールを添加して凍結を防止することが行われており、例えば、特許文献１に記載されている。
【０００５】
【特許文献１】
特開昭５４−９６５０３号公報（特許請求の範囲等）
【０００６】
【発明が解決しようとする課題】
しかしながら、従来凍結防止のために用いられていたエチレングリコールは、毒性が高く、環境負荷が大きいため、近年ではその使用が敬遠されている。一方、プロピレングリコールについては、食品添加物でもあり、環境負荷が極めて小さくかつ安全なものであるが、低温流動性に乏しく、冬季におけるウインドーの洗浄においてはワイプ残りを生じるなどの問題があった。
【０００７】
そこで本発明の目的は、安全で環境負荷が小さく、かつ、低温流動性が良好であるウインドーウォッシャ液を提供することにある。
【０００８】
【課題を解決するための手段】
本発明者らは上記課題を解決すべく鋭意研究した結果、以下の構成とすることにより、安全で環境負荷が小さく、かつ、低温流動性が良好であるウインドーウォッシャ液が実現できることを見出して、本発明を完成するに至った。
【０００９】
即ち、本発明のウインドーウォッシャ液は、
（１）下記一般式、
2004189854.tif 000002
（式中、Ｒ１は１，２−プロピレン基または１，３−プロピレン基を表し、ｎは１〜３の整数を表す）で表される少なくとも１種のグリコールと、
（２）下記一般式、
2004189854.tif 000003
（式中、Ｒ２は１，２−プロピレン基または１，３−プロピレン基を表し、Ｒ３は炭素原子数１〜２のアルキル基を表し、ｍは０〜３の数を表す。但し、ｍ＝０のときＲ３はエチル基である）で表される少なくとも１種の化合物と、
（３）水溶性であり且つ２５℃における粘度が２ｍＰａ・ｓ以下である少なくとも１種の化合物（上記（１）または（２）に該当するものを除く）と、
の上記（１）〜（３）成分のうち少なくとも１成分を含み（但し（１）〜（３）の成分の合計重量に対する、（１）〜（３）の各成分の割合として、（１）成分が６０重量％以上であり且つ（３）成分が１０重量％以下であることはない）、更に（４）水、および（５）界面活性剤を含有することを特徴とするものである。
【００１０】
本発明のウインドーウォッシャ液は、好ましくは上記（１）〜（３）の各成分の割合が、（１）〜（３）の成分の合計重量に対する、（１）〜（３）の各成分の割合として、（１）成分が５５重量％以上であり且つ（３）成分が１５重量％以下であることはないものであり、より好ましくは上記（１）〜（３）の各成分の割合が、（１）〜（３）の成分の合計重量に対する、（１）〜（３）の各成分の割合として、（１）成分が５５重量％以上であり且つ（３）成分が１５重量％以下であることはなく、また（１）成分が５重量％以下であることもないものである。
【００１１】
本発明はまた、上記ウインドーウォッシャ液用の原液であって、上記（４）水を実質的に含まないことを特徴とするウインドーウォッシャ液用原液である。
【００１２】
【発明の実施の形態】
以下、本発明の実施の形態について具体的に説明する。
本発明において使用し得る（１）下記一般式、
2004189854.tif 000004
（式中、Ｒ１は１，２−プロピレン基または１，３−プロピレン基を表し、ｎは１〜３の整数を表す）で表される少なくとも１種のグリコールは、安全性が高く、また環境負荷も小さいのでウインドーウォッシャ液成分として適しており、特に、１，２−プロパンジオールである場合、食品添加物としても使用される化合物であることから、より安全性が高く、また本発明のウインドーウォッシャ液として用いたときに、より低温流動性を良好にすることができ、好ましい。この（１）成分としてのグリコールは、単独で用いても２種以上を混合して用いてもよい。
【００１３】
本発明において使用し得る（２）下記一般式、
2004189854.tif 000005
（式中、Ｒ２は１，２−プロピレン基または１，３−プロピレン基を表し、Ｒ３は炭素原子数１〜２のアルキル基を表し、ｍは０〜３の数を表す。但し、ｍ＝０のときＲ３はエチル基である）で表される少なくとも１種の化合物も、安全性が高く、また環境負荷も小さいことから、ウインドーウォッシャ液成分として適している。また、本発明のウインドーウォッシャ液として用いたときに、より低温流動性を良好にすることができ、好ましい。この（２）成分の化合物についても、１種または２種以上にて適宜用いることができる。
【００１４】
本発明において使用し得る（３）成分は、水溶性であり且つ２５℃における粘度が２ｍＰａ・ｓ以下、好ましくは１．２ｍＰａ・ｓ以下である化合物であって、上記（１）または（２）に該当しないものである。
【００１５】
この（３）成分は、上記条件を満たすものであればなんら限定されるものではないが、例えば、プロピレングリコールジメチルエーテル、プロピレングリコールジエチルエーテル、ジプロピレングリコールジメチルエーテル、ジプロピレングリコールジエチルエーテル、エチレングリコールジメチルエーテル、エチレングリコールジエチルエーテル、ジエチレングリコールジメチルエーテル、ジエチレングリコールジエチルエーテル、ジブチルエーテル等のジエーテル類、蟻酸エチル、蟻酸ピロピル、蟻酸ｎ−ブチル、酢酸メチル、酢酸プロピル等の低級脂肪酸エステル類、その他、γ−ブチロラクトン、ジメチルシロキサン等の化合物を例示することができる。これらの化合物も、１種で用いても２種以上を用いてもよい。
【００１６】
本発明においては、（１）〜（３）の各成分のうち少なくとも１成分を用いるが、（１）〜（３）の成分の合計重量に対する、（１）〜（３）の各成分の割合として、（１）成分が６０重量％以上であり且つ（３）成分が１０重量％以下であることのないようにする必要がある。これは、凍結温度と低温流動性の点でウインドーウォッシャ液として使用可能とするためである。この（１）〜（３）成分の組成条件は、これら３成分の組成を表す三角図（図１参照）における斜線部を除く領域内であればどのような組成であってもよいことと同じである。
【００１７】
また、本発明のウインドーウォッシャ液は、ウインドーウォッシャ液の低温粘性（低温流動性）及び凍結温度を、ウインドーウォッシャ液として好ましい範囲とする観点から、（１）〜（３）の各成分の割合が、（１）〜（３）の成分の合計重量に対する、（１）〜（３）の各成分の割合として、（１）成分が５５重量％以上であり且つ（３）成分が１５重量％以下であることはないこととすることが好ましい。この（１）〜（３）成分の組成条件は、これら３成分の組成を表す三角図（図２参照）における斜線部を除く領域内であればどのような組成であってもよいことと同じである。
【００１８】
さらに、より安全性を高め、環境負荷を低減する観点からは、さらに（１）成分が５重量％以下であることもないことがより好ましい。この（１）〜（３）成分の組成条件は、これら３成分の組成を表す三角図（図３参照）における斜線部を除く領域内であればどのような組成であってもよいことと同じである。
【００１９】
本発明に使用する（４）成分は水である。水としては特に限定されるものではなく、従来のウインドーウォッシャ液に使用可能な水であればよい。
【００２０】
また、本発明に使用する（４）成分である水は、極端に少なすぎると低温における粘度が高くなり、ウインドーウォッシャ液として用いることが難しくなり、また引火性等の安全性が低下する。逆に、極端に多すぎると凍結温度が上昇し、ウインドーウォッシャ液として用いることが難しくなり、また液分離しやすくなる。よって、好ましい配合量は、（１）〜（５）の合計量を基準として１０〜９５重量％、より好ましくは３０〜８０重量％、もっとも好ましくは４０〜８０重量％である。なお、本発明は、この（４）成分である水を実質的に含まないウインドーウォッシャ用原液も包含するものである。
【００２１】
本発明のウインドーウォッシャ液は、上記に加え、さらに（５）成分として界面活性剤を含有する。用いる界面活性剤としては、本発明のウインドーウォッシャ液における界面活性剤を除く系に溶解可能なものであればよく、従来ウインドーウォッシャ液に使用されている界面活性剤を全て使用することができるが、常温で固体の成分であると、ウインドーが乾燥したときに固形分がウインドーに残留する傾向にあるので、好ましくは常温で液体である界面活性剤を用いる。
【００２２】
また、カチオン性界面活性剤はアルコール存在下で塩析しやすい場合があるので、より好ましくは、これらのなかでもノニオン性界面活性剤、両性界面活性剤またはアニオン性界面活性剤である。これらの界面活性剤は１種で用いても２種以上を混合して用いてもよい。
【００２３】
かかる（５）成分の界面活性剤は、極端に少なすぎるとウインドー表面の汚れ（泥、埃、タール、ピッチ、煤煙等）を除去する洗浄力が低下し、逆に、極端に多すぎるとウインドー表面における泡立ちによる視認性の低下や、粘度上昇による噴射性の低下の傾向があるので、好ましい配合量は、（１）〜（５）の合計量を基準として０．０５〜５重量％、より好ましくは０．５〜２重量％である。
【００２４】
本発明のウインドーウォッシャ液には、本発明の効果を阻害しない範囲内で任意に他の成分を配合することもできる。例えば、洗浄力を向上させるためにＥＤＴＡのナトリウム塩やカリウム塩等のキレート剤を用いたり、タール、ピッチ等の除去能力を向上させるためにコロイダルシリカ等のような懸濁型の無機研磨剤等を使用することができる。
【００２５】
また、上記（４）成分が比較的多い場合には、凍結温度をより低温に保つ目的で、有機酸のアルカリ金属塩を使用してもよい。この場合の有機酸のアルカリ金属塩の例としては、本発明のウインドーウォッシャ液中における溶解性の観点から、好ましくは炭素原子数１０以下、より好ましくは８以下の有機酸が適している。
【００２６】
このような有機酸の一例としては、グリシン、アラニン等のアミノ酸、低級脂肪酸、安息香酸、ニコチン酸などを例示することができる。また、この有機酸のアルカリ金属塩を構成するアルカリ金属としては特に限定されるものではなく、リチウム、カリウム、ナトリウムなどを使用することができるが、特に工業化適性の点からはナトリウム及びカリウムが好ましい。
【００２７】
【実施例】
以下に実施例を挙げさらに本発明を説明するが、本発明はこれらに限定されるものではない。
実施例１〜３０および比較例１、２
下記の表１〜５に示す配合内容（重量部）の各種ウインドーウォッシャ液を調製した。いずれもエチレングリコールを使用せず、安全性、低環境負荷性の面で優れたものである。さらに、これらのウインドーウォッシャ液について−２０℃における粘度を測定した。ウインドーウォッシャ液は−２０℃における粘度が５０ｍＰａ・ｓ以下であれば十分に使用できるので、本発明のウインドーウォッシャ液は良好な低温流動性を有するものであることがわかる。
【００２８】
【表１】
2004189854.tif 000006
【００２９】
【表２】
2004189854.tif 000007
【００３０】
【表３】
2004189854.tif 000008
【００３１】
【表４】
2004189854.tif 000009
【００３２】
【表５】
2004189854.tif 000010
【００３３】
【発明の効果】
以上説明してきたように、本発明によれば、安全性が高く、環境負荷が小さいにもかかわらず良好な低温流動性を保持しているウインドーウォッシャ液を得ることができる。
【図面の簡単な説明】
【図１】本発明の（１）〜（３）成分の組成の関係を表す三角図である。
【図２】本発明の、好ましい（１）〜（３）成分の組成の関係を表す三角図である。
【図３】本発明の、より好ましい（１）〜（３）成分の組成の関係を表す三角図である。
【図４】実施例１〜３０および比較例１、２における（１）〜（３）成分の組成の関係を表す三角図である。
【図１】
2004189854.tif 000015
【図２】
2004189854.tif 000016
【図３】
2004189854.tif 000017
【図４】
2004189854.tif 000018